(57)【特許請求の範囲】
【請求項１】
撮像装置に着脱可能に取り付けられる取付部と、
前記撮像装置で撮像された画像を表示する画像表示部と、
操作部材が配置された操作面を有する操作部と、
前記画像表示部と前記操作部とを回動可能に連結するヒンジ機構と、
前記操作部と前記取付部とを回動可能に連結する回動機構とを備え、
前記回動機構により前記操作部を前記取付部に対して回動させる場合に、前記画像表示部および前記ヒンジ機構が前記操作部とともに前記取付部に対して回動することを特徴とする表示ユニット。
【請求項２】
前記取付部は、前記撮像装置の装置本体に装着される第１の装着機構と、前記装置本体に取り付けられたハンドルに装着される第２の装着機構とを有することを特徴とする請求項１に記載の表示ユニット。
【請求項３】
前記ヒンジ機構は、第１の回動軸及び第２の回動軸を有する２軸ヒンジ機構であり、前記第１の回動軸は、前記画像表示部を前記操作部に対して開閉方向に回動可能に支持し、前記第２の回動軸は、前記第１の回動軸と直交する軸線を中心に前記画像表示部を前記操作部に対して回動可能に支持することを特徴とする請求項１又は２に記載の表示ユニット。
【請求項４】
前記第１の回動軸から前記画像表示部の画像表示面のうち前記ヒンジ機構の側の端部までの距離が、前記第１の回動軸から前記操作部の底面までの距離よりも大きく設定されることを特徴とする請求項３に記載の表示ユニット。
【請求項５】
前記第１の回動軸から前記画像表示部のうち前記ヒンジ機構の側の端部までの距離は、前記第１の回動軸から前記取付部に設けられた外部マイク保持部の上端部までの距離よりも大きく設定されることを特徴とする請求項３又は４に記載の表示ユニット。
【請求項６】
前記第２の回動軸は、前記操作部の幅方向の中心線に対して前記外部マイク保持部と逆の方向に配置されることを特徴とする請求項５に記載の表示ユニット。
【請求項７】
前記第１の回動軸を中心に前記画像表示部の画像表示面を上向きにして前記操作部に対して前記画像表示部を閉じた際に、前記画像表示部は、前記操作部に設けられた音声信号調整部を避けた位置に配置されることを特徴とする請求項３乃至６のいずれか一項に記載の表示ユニット。
【請求項８】
表示ユニットを備える撮像装置であって、
前記表示ユニットとして、請求項１乃至７のいずれか一項に記載の表示ユニットを備えることを特徴とする撮像装置。
【発明の詳細な説明】
【技術分野】
【０００１】
本発明は、デジタルスチルカメラやデジタルビデオカメラ等の撮像装置の装置本体にヒンジ機構を介して回動可能に取り付けられる表示ユニット、及び表示ユニットを備える撮像装置に関する。
【背景技術】
【０００２】
デジタルスチルカメラやデジタルビデオカメラ等の撮像装置では、撮像中の画像を表示させる表示ユニットを備えたものが普及している。表示ユニットとしては、画像を視認しやすくするために、３．５インチ等の比較的大型の画面サイズの表示パネルが用いられることが多い。
【０００３】
表示パネルをこのようなサイズとした場合は、カメラ本体に対して表示ユニットが占める面積が大きくなるため、表示ユニットをカメラ本体の側面等にヒンジ機構を介して接続して、カメラ本体に対して開閉方向に回動可能な構成とすることが行われている。
【０００４】
また、このような構成とした上で、表示ユニットとカメラ本体とを回転軸を中心に回動可能な構成とすることで、表示ユニットの角度を、撮影者が見やすい角度に自由に変更できるようにしたものも増えてきている。
【０００５】
従来、この種の表示ユニットを備えた撮像装置の一例として、図２７〜図３２に示すものが提案されている（特許文献１）。
【０００６】
図２７及び図２８を参照して、モニターブロック２は、第１回転軸Ｘ及び第２回転軸Ｙを持つ取り付け部材３ａによって本体８に取り付けられる。これにより、モニターブロック２は、本体８に対して第１回転軸Ｘを中心に図２７の状態から図２９の状態まで略１８０°回転することが可能になる。また、モニターブロック２は、本体８に対して第２回転軸Ｙを中心に図２９の状態から図３０の状態まで略２７０°回転することが可能になる。
【０００７】
モニターブロック２を図２９の状態から本体８に対して第２回転軸Ｙを中心に略１８０°回転させると、図３１に示すように、モニターブロック２の表示部を被写体に対面させることができる。また、モニターブロック２を図３１の状態から本体８に対して第１回転軸Ｘを中心に略１８０°回転させると、図３２に示すように、モニターブロック２を本体８に収納した状態で、撮影者がモニターブロック２の表示部を視認しやすい状態とすることが可能となる。
【先行技術文献】
【特許文献】
【０００８】
【特許文献１】特許第３６６９２４４号公報
【発明の概要】
【発明が解決しようとする課題】
【０００９】
上記特許文献１では、モニターブロック２自体は本体８に対して様々な角度をとることができるので表示部の視認性が高まるが、本体８の操作部は本体８に対して様々な角度をとることができない。このため、モニターブロック２の表示部を撮影者が見たい角度に調整した状態で、表示部を視認しながら本体８の操作部を操作しようとすると、操作性が悪くなる場合がある。
【００１０】
そこで、本発明は、表示ユニットの表示部を撮影者が見たい角度に調整した状態で、撮影者が操作部と正対しながら操作できる範囲を大きくして操作性の向上を図る仕組みを提供することを目的とする。
【課題を解決するための手段】
【００１１】
上記目的を達成するために、本発明の表示ユニットは、撮像装置に着脱可能に取り付けられる取付部と、前記撮像装置で撮像された画像を表示する画像表示部と、操作部材が配置された操作面を有する操作部と、前記画像表示部と前記操作部とを回動可能に連結するヒンジ機構と、前記操作部と前記取付部とを回動可能に連結する回動機構とを備え、前記回動機構により前記操作部を前記取付部に対して回動させる場合に、前記画像表示部および前記ヒンジ機構が前記操作部とともに前記取付部に対して回動することを特徴とする。
【発明の効果】
【００１２】
本発明によれば、表示ユニットの表示部を撮影者が見たい角度に調整した状態で、撮影者が操作部と正対しながら操作できる範囲を大きくすることができるので、操作性の向上を図ることができる。
【図面の簡単な説明】
【００１３】
【図１】本発明の表示ユニットを備える撮像装置の実施形態の一例であるデジタルビデオカメラのカメラ本体を後方から見た斜視図である。
【図２】図１に示すカメラ本体を前方から見た図である。
【図３】（ａ）はハンドルを上方から見た斜視図、（ｂ）はハンドルを下方から見た斜視図である。
【図４】表示ユニットの斜視図である。
【図５】表示ユニットの取付部を構成する接続機構の側面図である。
【図６】（ａ）は、接続機構の嵌合部がハンドルのアクセサリシューに嵌合され、かつ接続機構がアクセサリシューに固定された状態を示す要部断面図である。（ｂ）は、接続機構の嵌合部がハンドルのアクセサリシューに嵌合されているが、アクセサリシューには固定されていない状態を示す要部断面図である。
【図７】表示ユニットが固定されたハンドルをカメラ本体に固定した状態を示す斜視図である。
【図８】表示ユニットをカメラ本体に固定した状態を示す斜視図である。
【図９】（ａ）は操作部に対して表示部を閉じた状態での第１のヒンジ機構の斜視図、（ｂ）は（ａ）の矢印Ａ方向から見た斜視図である。
【図１０】第１のカシメ部を第１の回動軸線の方向から見た正面図である。
【図１１】（ａ）は、図９（ｂ）の状態から表示部を操作部に対して第１の回動軸線周りに１８０°回動させた際の第１のヒンジ機構の状態を示す斜視図である。（ｂ）は、図９（ｂ）の状態から表示部を操作部に対して第１の回動軸線周りに２７０°回動させた際の第１のヒンジ機構の状態を示す斜視図である。
【図１２】図１１（ｂ）の状態における第２の回動規制部を第２の回動軸線の方向から見た正面図である。
【図１３】図１１（ｂ）の状態から表示部を操作部に対して第２の回動軸線周りに１８０°回動させたときの第１のヒンジ機構の斜視図である。
【図１４】（ａ）は第２のヒンジ機構を第３の回動軸線方向から見た図、（ｂ）は（ａ）の側面図である。
【図１５】表示ユニットの第３の回動軸線に沿う断面図である。
【図１６】（ａ）は、図１４（ａ）の状態から表示ユニットの操作部を時計回り方向に１３５°回動させたときの第２のヒンジ機構を第３の回動軸線方向から見た図である。（ｂ）は、図１４（ａ）の状態から表示ユニットの操作部を反時計回り方向に１３５°回動させたときの第２のヒンジ機構を第３の回動軸線方向から見た図である。
【図１７】画像表示部が操作部に対して閉じている状態の表示ユニットを示す図である。
【図１８】画像表示部を操作部に対して図１７の状態から第１の回動軸線を中心に９０°回動させた状態の表示ユニットを示す図である。
【図１９】画像表示部を操作部に対して図１７の状態から第１の回動軸線を中心に１８０°回動させた状態の表示ユニットを示す図である。
【図２０】画像表示部を操作部に対して図１７の状態から第１の回動軸線を中心に２７０°回動させた状態の表示ユニットを示す図である。
【図２１】画像表示部４１を図２０の状態から第２の回動軸線を中心に画像表示部を操作部に対して１８０°回動させたときの表示ユニットを示す図である。
【図２２】画像表示部を図１８の状態から第２の回動軸線を中心として１８０°回動させた後、第１の回動軸線を中心に表示面が上向きになる方向に９０°回動させたときの表示ユニットを示す図である。
【図２３】図７又は図８の状態から取付部に対して操作部を第３の回動軸線を中心に時計回り方向に１３５°回動させたときの表示ユニットを上方から見た図である。
【図２４】図７又は図８の状態から取付部に対して操作部を第３の回動軸線を中心に反時計回り方向に１３５°回動させたときの表示ユニットを上方から見た図である。
【図２５】画像表示部を図１８の状態から第２の回動軸線を中心に９０°回動させ、かつ操作部を取付部に対して第３の回動軸線周りに９０°回動させた状態を示す図である。
【図２６】図２２の状態で音声信号調整部のカバー部材を開いたときの表示ユニットを示す斜視図である。
【図２７】従来の表示ユニットを備える撮像装置の一例を示す斜視図である。
【図２８】取り付け部材の斜視図である。
【図２９】第１の回転軸周りにモニターブロックを１８０°回転させた状態を示す斜視図である。
【図３０】第１の回転軸周りにモニターブロックを１８０°回転させた上で、第２の回転軸周りに２７０°回転させた状態を示す斜視図である。
【図３１】モニターブロックを図２９の状態から第２回転軸を中心に１８０°回転させた状態を示す斜視図である。
【図３２】モニターブロックを図３１の状態から第１回転軸を中心に１８０°回転させた状態を示す斜視図である。
【発明を実施するための形態】
【００１４】
以下、本発明の実施形態の一例を図面を参照して説明する。なお、図面については、各部材を認識可能な大きさとするために、各部材の縮尺を適宜変更している。
【００１５】
図１は本発明の表示ユニットを備える撮像装置の実施形態の一例であるデジタルビデオカメラのカメラ本体を後方から見た斜視図、図２は図１に示すカメラ本体を前方から見た図である。
【００１６】
本実施形態のデジタルビデオカメラは、図１に示すように、カメラ本体１の後方側に、可動式ビューファインダ１３、情報表示部１６、入出力端子部１７、及び記録媒体装着部１８が設けられている。また、カメラ本体１の後方側には、ＲＥＣ／ＰＡＵＳＥボタン１１１、メニューボタン１１２、メニュー操作レバー１１３、及びバッテリ蓋１１４が設けられている。カメラ本体１は、本発明の装置本体の一例に相当する。
【００１７】
図１及び図２に示すように、カメラ本体１を後方から見て右側の側面には、通風口１１５，１１６が設けられている。カメラ本体１を後方から見て右側の側面には、着脱可能なグリップ部１２が装着されている。カメラ本体１を後方から見て左側の側面には、通風口１１７及び電源スイッチ１１８が設けられている。
【００１８】
カメラ本体１の上面には、後述するハンドル３（図３参照）又は表示ユニット（図４参照）を装着可能なアクセサリシュー１４が設けられている。アクセサリシュー１４には、アクセサリシュー１４に装着したハンドル３をカメラ本体１に固定するためのネジ穴１５が設けられている。また、図２に示すように、カメラ本体１の前方側には、レンズユニット７（図７参照）を装着可能なマウント部１９が設けられている。
【００１９】
図３（ａ）はハンドル３を上方から見た斜視図、図３（ｂ）はハンドル３を下方から見た斜視図である。
【００２０】
図３に示すように、ハンドル３は、撮影者によって把持される外装部３１と、撮影者によって回転操作される回転操作部３３とを有する。図３（ａ）に示すように、ハンドル３の上面部には、ビデオライト等の装着するためのアクセサリシュー３４およびネジ穴３５が設けられている。ハンドル３の前方側には、表示ユニット４を装着可能なアクセサリシュー３６が設けられている。図３（ｂ）に示すように、ハンドル３の底面部には、カメラ本体１のアクセサリシュー１４に取り付けられる取付部３２が設けられている。ハンドル３の取付部３２をカメラ本体１のアクセサリシュー１４に取り付けた後、回転操作部３３を回転操作すると、回転操作部３３のネジ部がカメラ本体１のネジ穴１５に螺合する。
【００２１】
図４は、表示ユニット４の斜視図である。図４に示すように、表示ユニット４は、撮像画像を表示する画像表示部４１と、撮像画像を再生する際にカメラ本体１を操作する為の操作部４２と、カメラ本体１のアクセサリシュー１４又はハンドル３のアクセサリシュー３６に取付けられる取付部４３とを備える。
【００２２】
画像表示部４１は、カメラ本体１で撮影した画像及びカメラ本体１の制御状態を撮影者が確認可能な画像表示パネル４１１と、画像表示パネル４１１を保護する保護部材４１３とを有する。また、画像表示部４１の外装は、軟質の樹脂材料等で形成されたカバー部材４１４で覆われている。
【００２３】
画像表示部４１は、２軸ヒンジ機構１０（図９（ａ）参照）によって操作部４２に対して回動可能に支持される。なお、２軸ヒンジ機構１０の詳細については、後述する。
【００２４】
操作部４２は、撮影者の操作によってカメラ本体１に所定の動作を実行させる操作ボタン群４２１と、外部マイクの接続時に外部マイクからの音声信号を調整する音声信号調整部４２２と、音声信号調整部４２２を覆うカバー部材４２３とを有する。
【００２５】
また、操作部４２は、画像表示部４１に表示される画像の表示方向を変更する表示方向変更ボタン４２４を有する。
【００２６】
操作部４２は、回動機構２０（図１４（ａ）参照）によって取付部４３に対して回動可能に支持される。なお、回動機構２０の詳細については、後述する。
【００２７】
取付部４３は、外部マイクを保持する保持部４３２、外部マイクのコネクタを連結するコネクタ部４３３、カメラ本体１のアクセサリシュー１４に装着される第１の装着機構４３４、ハンドル３のアクセサリシュー３６に装着される第２の装着機構４３５を有する。
【００２８】
また、取付部４３は、カメラ本体１で得られた画像を画像表示パネル４１１に表示するための信号、操作ボタン群４２１の操作に対応する制御信号及び外部マイクから得られた音声信号をカメラ本体１との間で送受信するための信号ケーブル４３６を有する。なお、操作ボタン群４２１での操作に対応する制御信号及び外部マイクから得られた音声信号は、操作部４２に設けられた音声信号調整部４２２で調整した上でカメラ本体１に送信される。
【００２９】
図５は、表示ユニット４の取付部４３に設けられる第２の装着機構４３５の側面図である。図５に示すように、第２の装着機構４３５は、ハンドル３のアクセサリシュー３６に嵌合される嵌合部４３５１を有する。
【００３０】
図６（ａ）は、第２の装着機構４３５の嵌合部４３５１がハンドル３のアクセサリシュー３６に嵌合され、かつ第２の装着機構４３５がアクセサリシュー３６に固定された状態を示す要部断面図である。図６（ｂ）は、第２の装着機構４３５の嵌合部４３５１がハンドル部３のアクセサリシュー３６に嵌合されているが、第２の装着機構４３５がアクセサリシュー３６に固定されていない状態を示す要部断面図である。
【００３１】
図６に示すように、第２の装着機構４３５は、嵌合部４３５１、規制部材４３５２、摺動部材４３５３、抜け止めピン４３５４、当接部材４３５５、及び弾性部材４３５６を有する。
【００３２】
規制部材４３５２は、中央部にねじ穴が形成され、嵌合部４３５１をハンドル３のアクセサリシュー３６に嵌合した後、ハンドル３に対して表示ユニット４の移動を規制する。
【００３３】
摺動部材４３５３は、規制部材４３５２が表示ユニット４の移動を規制する位置と表示ユニット４をハンドル３から着脱可能にする位置とを移動可能となるように規制部材４３５２のねじ穴に螺合するねじ部が形成されている。
【００３４】
抜け止めピン４３５４は、規制部材４３５２の位置に応じて突出高さが変化する。当接部材４３５５は、樹脂等で形成されており、抜け止めピン４３５４に一体に取り付けられて、規制部材４３５２に当接しながら移動する。弾性部材４３５６は、コイルばね等で構成され、抜け止めピン４３５４を嵌合部４３５１に向けて付勢する。
【００３５】
図６（ａ）に示すように、第２の装着機構４３５の嵌合部４３５１がハンドル３のアクセサリシュー３６に嵌合、かつ固定された状態では、規制部材４３５２は、ハンドル３のアクセサリシュー３６に当接する位置にある。そのため、弾性部材４３５６の付勢力によって抜け止めピン４３５４は嵌合部４３５１よりも突出する。
【００３６】
これにより、ハンドル３に対して表示ユニット４の移動が規制され、図６（ａ）の状態でハンドル３から表示ユニット４を取り外そうとしても、抜け止めピン４３５４がハンドル３のアクセサリシュー３６に当接して表示ユニット４を取り外すことはできなくなる。
【００３７】
図６（ｂ）に示すように、ハンドル３のアクセサリシュー３６に嵌合された第２の装着機構４３５の嵌合部４３５１が固定されていない状態では、規制部材４３５２の位置がハンドル３のアクセサリシュー３６から離れている。
【００３８】
これにより、抜け止めピン４３５４が第２の装着機構４３５の嵌合部４３５１から突出しなくなり、ハンドル３に対して表示ユニット４が着脱可能となる。なお、表示ユニット４をカメラ本体１のアクセサリシュー１４に接続する第１の装着機構４３４については、第２の装着機構４３５と同様であるため、その説明を省略する。
【００３９】
図７は表示ユニット４が固定されたハンドル３をカメラ本体１に固定した状態を示す斜視図、図８は表示ユニット４をカメラ本体１に固定した状態を示す斜視図である。図７及び図８では、カメラ本体１のマウント部１９にレンズユニット７が装着されている。
【００４０】
次に、図９〜図１３を参照して、表示ユニット４の画像表示部４１を操作部４２に対して回動させる２軸ヒンジ機構１０について説明する。
【００４１】
図９（ａ）は操作部４２に対して画像表示部４１を閉じた状態での２軸ヒンジ機構１０の斜視図、図９（ｂ）は図９（ａ）の矢印Ａ方向から見た斜視図である。
【００４２】
図９に示すように、２軸ヒンジ機構１０は、第１の固定部９１、第２の固定部９２、及び回動部９３を備え、第１の回動軸線９８及び第１の回動軸線９８と直交する第２の回動軸線９９を有する。
【００４３】
第１の固定部９１は、ビス等で操作部４２に接続される。第２の固定部９２は、操作部４２に設けられた不図示の位置決めボスと嵌合する位置決め穴９２１，９２２を有し、ビス等で操作部４２に接続される。回動部９３は、第１の回動軸線９８周りの回動動作を規制する第１のストッパ部材９３１、及び、第２の回動軸線９９周りの回動動作を規制する第２のストッパ部材９３２を有する。
【００４４】
回動部９３は、第２の固定部９２と第１のカシメ部９４により連結され、第１の固定部９１及び第２の固定部９２と第２のカシメ部９５より連結される。これにより、回動部９３は、第１の固定部９１及び第２の固定部９２に対して回動可能となる。
【００４５】
図１０は、第１のカシメ部９４を第１の回動軸線９８の方向から見た正面図である。図１１（ａ）は、図９（ｂ）の状態から画像表示部４１を操作部４２に対して第１の回動軸線９８周りに１８０°回動させた際の２軸ヒンジ機構１０の状態を示す斜視図である。図１１（ｂ）は、図９（ｂ）の状態から画像表示部４１を操作部４２に対して第１の回動軸線９８周りに２７０°回動させた際の２軸ヒンジ機構１０の状態を示す斜視図である。
【００４６】
第１の回動規制部９４１は、第２の固定部９２にカシメ等で固定され、第１のストッパ部材９３１が当接しながら回動する円形部９４１１と、第１のストッパ部材９３１と面接触して画像表示部４１の必要以上の回動を規制する平面部９４１２，９４１３とを有する。
【００４７】
図９（ｂ）の状態では、第１のストッパ部材９３１と第１の回動規制部９４１の平面部９４１２とが当接して、操作部４２に対する画像表示部４１の回動が規制される。
【００４８】
図１１（ａ）に示すように、図９（ｂ）の状態から画像表示部４１を操作部４２に対して１８０°回動させると、第１のストッパ部材９３１と第１の回動規制部９４１の円形部９４１１とが当接する。
【００４９】
図１１（ｂ）に示すように、図９（ｂ）の状態から画像表示部４１を操作部４２に対して２７０°回動させると、第１のストッパ部材９３１と第１の回動規制部９４１の平面部９４１３とが当接する。これにより、操作部４２に対する画像表示部４１の回動が規制される（図１０参照）。
【００５０】
第２のカシメ部９５は、画像表示部４１が回動可能な範囲の任意の角度において姿勢を維持できるトルクを発生させるための板ばね部９５１を有する。従って、画像表示部４１を第１の回動軸線９８周りに回動させる際に、０°から２７０°の範囲の任意の角度で姿勢を保持させることが可能である。
【００５１】
また、回動部９３には、カシメ部９７によって締結部９６が締結される。締結部９６は、画像表示部４１に締結される第１の位置決め部９６１及び第２の位置決め部９６２を有し、ビス等によって画像表示部４１に締結され、第２の回動軸線９９周りに回動部９３に対して回動可能である。これにより、画像表示部４１を操作部４２に対して第２の回動軸線９９周りに回動させることが可能となる。
【００５２】
カシメ部９７は、板ばね部９７１と、第２の回動規制部９７２とを有する。板ばね部９７１は、第２の回動軸線９９周りに締結部９６を回動させた際に画像表示部４１が回動可能な任意の角度において姿勢を保持できるようなトルクを発生させる。従って、第２の回動軸線９９周りに締結部９６を回動させた際に、画像表示部４１の姿勢を回動可能な任意の角度で保持することが可能となる。
【００５３】
図１２は、図１１（ｂ）の状態における第２の回動規制部９７２を第２の回動軸線９９の方向から見た正面図である。
【００５４】
第２の回動規制部９７２は、締結部９６にカシメ等で固定され、図１２に示すように、図１１（ｂ）の状態から時計回り方向に１８０°回動可能とされている。また、第２の回動規制部９７２は、第２のストッパ部材９３２と当接しながら回動する円形部９７２１と、第２のストッパ部材９３２と面接触して締結部９６の動きを規制する平面部９７２２，９７２３とを有する。
【００５５】
図１３は、図１１（ｂ）の状態から画像表示部４１を操作部４２に対して第２の回動軸線９９周りに１８０°回動させたときの２軸ヒンジ機構１０の斜視図である。図１３の状態では、第２のストッパ部材９３２と第２の回動規制部９７２の平面部９７２２とが当接して操作部４２に対する画像表示部４１の回動が規制される。
【００５６】
次に、図１４〜図１６を参照して、操作部４２を取付部４３に対して回動させる回動機構２０について説明する。
【００５７】
図１４（ａ）は回動機構２０を第３の回動軸線２１１方向から見た図、図１４（ｂ）は図１４（ａ）の側面図である。図１５は、表示ユニット４の第３の回動軸線２１１に沿う断面図である。
【００５８】
図１４（ａ）及び図１４（ｂ）に示すように、回動機構２０は、第１の取付部材２０１、第２の取付部材２０９、板ばね部２０８、回動軸部材２０６、及びカシメ部２１０を有する。
【００５９】
カシメ部２１０は、板ばね部２０８を介して第１の取付部材２０１と第２の取付部材２０９とを締結する。回動機構２０は、第１の取付部材２０１の締結部２０２〜２０５によって表示ユニット４の取付部４３に接続されるとともに、第２の取付部材２０９に設けられた不図示の締結部によって操作部４２に接続される。
【００６０】
板ばね部２０８は、第３の回動軸線２１１周りに操作部４２を取付部４３に対して回動させた際に、回動可能な範囲において操作部４２が任意の角度で姿勢を維持できるようなトルクを発生させる。
【００６１】
図１６（ａ）は、図１４（ａ）の状態から表示ユニット４の操作部４２を時計回り方向に１３５°回動させたときの回動機構２０を第３の回動軸線２１１方向から見た図である。図１６（ｂ）は、図１４（ａ）の状態から表示ユニット４の操作部４２を反時計回り方向に１３５°回動させたときの回動機構２０を第３の回動軸線２１１方向から見た図である。
【００６２】
図１６（ａ）及び図１６（ｂ）に示すように、図１４（ａ）の状態から操作部４２を取付部４３に対して時計回り又は反時計回りの方向に１３５°回動させると、回動軸部材２０６の突起部２０６１が第３の回動規制部２０７と当接し、それ以上の回動が規制される。
【００６３】
次に、図１７〜図２０を参照して、２軸ヒンジ機構１０における第１の回動軸線９８周りの操作部４２に対する画像表示部４１の回動動作例について説明する。
【００６４】
図１７は、画像表示部４１が操作部４２に対して閉じている状態の表示ユニット４を示す図である。図１７に示すように、２軸ヒンジ機構１０は、操作部４２より上方および前方に突出形成された突出部４２７に収納されている。
【００６５】
操作部４２に対する突出部４２７の上方への突出量ｈ１は、画像表示部４１が操作部４２に対して閉じた際に、画像表示部４１が操作部４２に対して高さ方向に著しく突出することがないように、画像表示部４１の厚みｈ０によって決定される。
【００６６】
また、操作部４２に対する突出部４２７の前方への突出量ｈ２（図１４参照）は、図１７の状態から画像表示部４１を２７０°回動させた際に、画像表示部４１が操作部４２に接触することがないように、画像表示部４１の厚みｈ０によって決定される。
【００６７】
図１８は、画像表示部４１を図１７の状態から第１の回動軸線９８を中心に、操作部４２に対して９０°回動させた状態の表示ユニット４を示す図である。図１９は、画像表示部４１を図１７の状態から第１の回動軸線９８を中心に、操作部４２に対して１８０°回動させた状態の表示ユニット４を示す図である。
【００６８】
図２０は、画像表示部４１を図１７の状態から第１の回動軸線９８を中心に、操作部４２に対して２７０°回動させた状態の表示ユニット４を示す図である。
【００６９】
画像表示部４１は、２軸ヒンジ機構１０の板ばね部９５１で発生する保持力によって、図１８の状態から図２０の状態までの任意の角度を保持することが可能である。
【００７０】
次に、図２１及び図２２を参照して、２軸ヒンジ機構１０における第２の回動軸線９９周りの操作部４２に対する画像表示部４１の回動動作例について説明する。
【００７１】
図２１は、画像表示部４１を図２０の状態から第２の回動軸線９９を中心に、操作部４２に対して１８０°回動させた状態の表示ユニット４を示す図である。
【００７２】
図２１に示すように、第２の回動軸線９９は、操作部４２の幅方向の中心線ｐ１よりも左側にずれている。すなわち、第２の回動軸線９９は、操作部４２の幅方向の中心線ｐ１より外部マイク保持部４３２が形成される側とは逆側に位置する。したがって、図２１の状態では、画像表示部４１が操作部４２の幅方向の中心線ｐ１よりも左側、すなわち、外部マイク保持部４３２が形成される側とは逆側に位置することになる。
【００７３】
また、図２１に示すように、第１の回動軸線９８から画像表示部４１の画像表示パネル４１１の２軸ヒンジ機構１０側の端部までの距離ｈ３は、第１の回動軸線９８から操作部４２の底面までの距離ｈ４より大きくなるように設定されている。これにより、画像表示部４１を図２１に示す状態としても、画像表示部４１の画像表示パネル４１１に表示される画像が操作部４２によって遮られることはない。
【００７４】
なお、画像表示部４１の画像表示パネル４１１に表示される画像は、撮像画像に対して１８０°反転した画像となるが、操作部４２に設けられた表示方向変更ボタン４２４を操作することにより、画像が正位置となるように制御することが可能である。
【００７５】
図２２は、画像表示部４１を図１８の状態から第２の回動軸線９９を中心として１８０°回動させた後、第１の回動軸線９８を中心に画像表示パネル４１１の表示面が上向きになる方向に９０°回動させた状態の表示ユニット４を示す図である。このように、画像表示部４１の画像表示パネル４１１の画像表示面を撮影者が上方から視認可能な状態で画像表示部４１を操作部４２に収めることも可能である。
【００７６】
図２２に示すように、第２の回動軸線９９は、操作部４２の幅方向の中心線ｐ１よりも左側にずれているので、画像表示部４１は、音声信号調整部４２２を避けた領域に重なるように配置される。このため、画像表示部４１の画像表示パネル４１１に表示される画像を確認しながら音声信号調整部４２２を操作することができる。
【００７７】
このように、画像表示部４１を２軸ヒンジ機構１０の第１の回動軸線９８及び第２の回動軸線９９の中心に回動させることで、画像表示部４１の画像表示パネル４１１が撮影者に対面する姿勢から被写体に対面する姿勢までの任意の角度に調整することが可能となる。
【００７８】
次に、図２３及び図２４を参照して、回動機構２０における第３の回動軸線２１１周りの取付部４３に対する操作部４２の回動動作例について説明する。
【００７９】
図２３は、図７又は図８の状態から取付部４３に対して操作部４２を第３の回動軸線２１１を中心に時計回り方向に１３５°回動させたときの表示ユニット４を上方から見た図である。図２４は、図７又は図８の状態から取付部４３に対して操作部４２を第３の回動軸線２１１を中心に反時計回り方向に１３５°回動させたときの表示ユニット４を上方から見た図である。
【００８０】
図２３及び図２４に示すように、第３の回動軸線２１１を中心として両側に１３５°の角度の範囲であれば、任意の角度において、撮影者は操作部４２に正対して操作することが可能となる。なお、本実施形態では、第３の回動軸線２１１を中心として両側に１３５°ずつ操作部４２を回動させているが、撮影に支障をきたさない範囲であれば、任意に角度設定を変更することは可能である。
【００８１】
図２５は、画像表示部４１を図１８の状態からで第２の回動軸線９９を中心に９０°回動させ、かつ操作部４２を取付部４３に対して第３の回動軸線２１１周りに９０°回動させた状態を示す図である。
【００８２】
図２５に示すように、第１の回動軸線９８から画像表示部４１の２軸ヒンジ機構１０側の端部までの距離ｈ５は、第１の回動軸線９８から外部マイク保持部４３２の上端部までの距離ｈ６よりも大きくなるように設定されている。これにより、取付部４３に対する操作部４２の回動状態を図２５に示す状態として、画像表示部４１を第２の回動軸線９９周りに回動させたとしても、画像表示部４１が外部マイク保持部４３２に接触することがない。
【００８３】
図２６は、図２２の状態で音声信号調整部４２２のカバー部材４２３を開いたときの表示ユニット４を示す斜視図である。
【００８４】
図２６に示すように、カバー部材４２３は第４の回動軸線３０を中心にて開閉方向に回動動作が可能である。カバー部材４２３を開いたとき、カバー部材４２３は、突出部４２７に当接して支えられる。これにより、カバー部材４２３を開いた状態で、カバー部材４２３にさらに開く方向の外力を与えた場合でも、カバー部材４２３が突出部４２７に当接するため、カバー部材４２３の回動軸に過大な負荷がかかることを防ぐことが可能となる。
【００８５】
以上説明したように、本実施形態では、画像表示部４１を操作部４２に対して回動可能にすると共に、操作部４２をカメラ本体１又はハンドル３の取付部４３に対して回動可能としている。これにより、表示ユニット４の画像表示部４１を撮影者が見たい角度に調整した状態で、撮影者が操作部４２と正対しながら操作できる範囲を大きくすることができ、操作性の向上を図ることができる。
【００８６】
なお、本発明の構成は、上記実施形態に例示したものに限定されるものではなく、本発明の要旨を逸脱しない範囲において適宜変更可能である。
【符号の説明】
【００８７】
１  カメラ本体
３  ハンドル
４  表示ユニット
１０  ２軸ヒンジ機構
２０  回動機構
４１  画像表示部
４２  操作部
４３  取付部
９８  第１の回動軸線
９９  第２の回動軸線
２１１  第３の回動軸線
【図１】
0005943580.tif 000002
【図２】
0005943580.tif 000003
【図３】
0005943580.tif 000004
【図４】
0005943580.tif 000005
【図５】
0005943580.tif 000006
【図６】
0005943580.tif 000007
【図７】
0005943580.tif 000008
【図８】
0005943580.tif 000009
【図９】
0005943580.tif 000010
【図１０】
0005943580.tif 000011
【図１１】
0005943580.tif 000012
【図１２】
0005943580.tif 000013
【図１３】
0005943580.tif 000014
【図１４】
0005943580.tif 000015
【図１５】
0005943580.tif 000016
【図１６】
0005943580.tif 000017
【図１７】
0005943580.tif 000018
【図１８】
0005943580.tif 000019
【図１９】
0005943580.tif 000020
【図２０】
0005943580.tif 000021
【図２１】
0005943580.tif 000022
【図２２】
0005943580.tif 000023
【図２３】
0005943580.tif 000024
【図２４】
0005943580.tif 000025
【図２５】
0005943580.tif 000026
【図２６】
0005943580.tif 000027
【図２７】
0005943580.tif 000028
【図２８】
0005943580.tif 000029
【図２９】
0005943580.tif 000030
【図３０】
0005943580.tif 000031
【図３１】
0005943580.tif 000032
【図３２】
0005943580.tif 000033